(57)【特許請求の範囲】
【請求項１】
遊技機枠の前扉は前後方向に貫通する窓と、当該窓を後側から塞ぐパネル構造体とを備え、
パネル構造体はガラス板からなる前側の前面パネル及び後側の後面パネルを前後方向に離れて相対峙するようにフレームで支持して前面パネルと後面パネルとフレームとで囲まれた閉鎖空間を備え、
前記フレームが、
前記窓よりも大きな前後方向への貫通孔として設けられる透視開口部と、
前記透視開口部の前側を囲み、前面パネルの周縁部を固定する前面パネル収容部と、
当該フレームの外周周縁部に沿ってフレームの裏面から裏側に突出するフレーム周壁により後面パネルの周縁部を固定する後面パネル収容部と、
フレームの一側部に設けられ、前記閉鎖空間に繋がる放音孔と、当該放音孔を囲み、フレームの前面から前側に突出する放音周壁とを有するスピーカ取付部と、
前記フレームの前面において前記スピーカ取付部の逆側に開口するバスレフ開口部と、
前記フレーム周壁の下部から前記透視開口部の周縁部まで延長し、フレームの裏面から裏側に突出して後面パネルの前面に当接し、前記フレーム周壁とともに前記バスレフ開口部を囲む縦隔壁と、
前記後面パネル収容部に後面パネルを固定した状態において、フレームの裏面と、縦隔壁と、フレーム周壁と、後面パネルの前面とにより囲まれ、前記閉鎖空間とバスレフ開口部とを繋ぐバスレフダクト部と、
音波を放出するコーンと、コーンの前端から径方向外側に突出するフランジとを有し、当該フランジの裏面が前記放音周壁の前面に接触して設けられる低音スピーカとを備え、
コーンの後側から放出された音が、放音孔、閉鎖空間及びバスレフダクト部を経由してバスレフ開口部からフレームの前側に放出され、コーンの前側から放出された音がフレームの前側に放出されることを特徴とする遊技音響装置。
【請求項２】
前記低音スピーカがコーンから外側に突出したフランジとフランジに設けられたねじ挿入孔とを備え、放音周壁にはねじ結合孔が設けられ、止ねじが前記低音スピーカの前側からねじ挿入孔を経由してねじ結合孔に締結されることによって、前記低音スピーカがスピーカ取付部に取り付けられたことを特徴とする請求項１記載の遊技音響装置。  
【請求項３】
前記低音スピーカの音響変換部がパネル構造体における放音孔の裏側と対向する壁体に背面支持体で支持されたことを特徴とする請求項１記載の遊技音響装置。
【請求項４】
スピーカ取付部が前扉の窓の右下部に対応して設けられ、バスレフ開口部が前扉の窓の左下部に対応して設けられたことを特徴とする請求項１記載の遊技音響装置。
【発明の詳細な説明】
【技術分野】
【０００１】
本発明は、音による遊技の演出が遊技機枠の前側に適切に提供される遊技音響装置に関する。
【背景技術】
【０００２】
遊技音響装置には、次のような構造のものが知られている。その１つは、遊技機枠の裏側にスピーカとエンクロージャとが一体になったスピーカ構造体を設け、エンクロージャの音をパイプで遊技機枠の前側に誘導して放出するようにした構造であるが、この場合、スピーカ構造体のほかにパイプが必要で、構造が複雑となるという欠点がある。もう１つは、前扉のガラスを振動板として利用した構造であるが、この場合、ガラスの共振周波数が数百ヘルツであるため、低音再生用として使用するには適切でないという欠点がある。さらにもう１つは、圧電式のスピーカを前扉のガラスに接触した構造であるが、この場合、ガラスの共振周波数が数百ヘルツであるため、低音再生用として使用するには適切でないという欠点がある。最後の１つは、圧電式のスピーカを前扉に貼り付けた構造であるが、この場合、ガラスの共振周波数が数百ヘルツであるため、低音再生用として使用するには適切でないという欠点がある。
【特許文献１】特開２００４−２２９１８３号公報
【特許文献２】特開平７−８６０１号公報
【特許文献３】特開平１０−２１６３２５号公報
【特許文献４】特開２００３−１３５８０４号公報
【発明の開示】
【発明が解決しようとする課題】
【０００３】
発明が解決しようとする問題点は、音による遊技の演出が遊技機枠の前側に適切に提供できないという点である。
【課題を解決するための手段】
【０００４】
本発明に係る遊技音響装置は、遊技機枠の前扉は前後方向に貫通する窓と、当該窓を後側から塞ぐパネル構造体とを備え、パネル構造体はガラス板からなる前側の前面パネル及び後側の後面パネルを前後方向に離れて相対峙するようにフレームで支持して前面パネルと後面パネルとフレームとで囲まれた閉鎖空間を備え、フレームが、窓よりも大きな前後方向への貫通孔として設けられる透視開口部と、透視開口部の前側を囲み、前面パネルの周縁部を固定する前面パネル収容部と、当該フレームの外周周縁部に沿ってフレームの裏面から裏側に突出するフレーム周壁により後面パネルの周縁部を固定する後面パネル収容部と、フレームの一側部に設けられ、閉鎖空間に繋がる放音孔と、当該放音孔を囲み、フレームの前面から前側に突出する放音周壁とを有するスピーカ取付部と、フレームの前面においてスピーカ取付部の逆側に開口するバスレフ開口部と、フレーム周壁の下部から透視開口部の周縁部まで延長し、フレームの裏面から裏側に突出して後面パネルの前面に当接し、フレーム周壁とともにバスレフ開口部を囲む縦隔壁と、後面パネル収容部に後面パネルを固定した状態において、フレームの裏面と、縦隔壁と、フレーム周壁と、後面パネルの前面とにより囲まれ、閉鎖空間とバスレフ開口部とを繋ぐバスレフダクト部と、音波を放出するコーンと、コーンの前端から径方向外側に突出するフランジとを有し、当該フランジの裏面が放音周壁の前面に接触して設けられる低音スピーカとを備え、コーンの後側から放出された音が、放音孔、閉鎖空間及びバスレフダクト部を経由してバスレフ開口部からフレームの前側に放出され、コーンの前側から放出された音がフレームの前側に放出されることを最も主要な特徴とする。低音スピーカがコーンから外側に突出したフランジとフランジに設けられたねじ挿入孔とを備え、放音周壁にはねじ結合孔が設けられ、止ねじが低音スピーカの前側からねじ挿入孔を経由してねじ結合孔に締結されることによって、低音スピーカがスピーカ取付部に取り付けられたり、または、低音スピーカの音響変換部がパネル構造体における放音孔の裏側と対向する壁体に背面支持体で支持されたり、または、スピーカ取付部が前扉の窓の右下部に対応して設けられ、バスレフ開口部が前扉の窓の左下部に対応して設けられたりしてもよい。
【発明の効果】
【０００５】
本発明に係る遊技音響装置は、スピーカのコーンから前側に放出された音は前扉の前側に放出され、スピーカのコーンから後側に放出された音は前面パネルと後面パネルおよびフレームで囲まれた閉鎖空間をエンクロージャとして利用してバスレフダクト部およびバスレフ開口部を経由して前扉の前側に放出されるので、音による遊技の演出が遊技機枠の前側で遊技を行う遊技者に適切に提供されるという利点がある。スピーカがコーンから外側に突出したフランジとフランジも設けられたねじ挿入孔とを備え、放音周壁にはねじ結合孔が設けられ、止ねじがスピーカの前側からねじ挿入孔を経由してねじ結合孔に締結されることによって、スピーカがスピーカ取付部に取り付けられれば、スピーカの取り付けが簡単であるという利点がある。スピーカ取付部とバスレフ開口部およびバスレフダクト部がフレームに設けられれば、バスレフ開口部およびバスレフダクト部を前面パネルに設ける場合に比べ、前面パネルの構造が簡単になるという利点がある。スピーカの音響変換部がパネル構造体における放音孔の裏側と対向する壁体に背面支持体で支持されれば、スピーカが音を放出する場合、音の歪やびびり音のような異音の発生がないという利点がある。スピーカ取付部が前扉の窓の右下部に対応して設けられ、バスレフ開口部が前扉の窓の左下部に対応して設けられれば、音による遊技の演出を遊技機枠の前側の左右から遊技者に提供できるという利点がある。
【発明を実施するための最良の形態】
【０００６】
図１乃至図６は、発明を実施するための最良の形態である。図１は、遊技音響装置を備えた遊技機枠１を示す。図２は、パネル構造体１４を分解して前側から示し、前面パネル３１および後面パネル３２よりもフレーム３３を拡大して図示してある。図３は、後面パネル３２を分解したパネル構造体１４を裏側から示し、後面パネル３２よりもフレーム３３を拡大して図示してある。図４は、パネル構造体１４の外観を前側から示す。図５は、図４をＡ−Ａ線に沿い切断した断面を示す。図６のａ図は、図４をＢ−Ｂ線に沿い切断した断面を示す。図６のｂ図は、図４をＣ−Ｃ線に沿い切断した断面を示す。本明細書において、「前」、「後」、「裏」、「左」、「右」、「上」、「下」の方向は、図１のａ図の状態に遊技機枠１を置いて矢印Ｓで示す前側から見た場合に特定される方向である。「後」と「裏」とは同じ方向である。
【０００７】
図１を参照し、遊技音響装置の構造について説明する。遊技音響装置が設けられる遊技機枠１としてパチンコ遊技機の遊技機枠１を例として説明する。図１のａ図に示すように、遊技機枠１は、固定枠２の前側に可動枠３を開閉可能に備え、可動枠３の前側に前扉４および皿構造体５を開閉可能に備える。可動枠３は、遊技盤や制御装置など遊技に必要な部品を取り付ける前枠とも呼ばれる。可動枠３は、左側に位置するヒンジ６を中心とし、固定枠２の前側で前側に開かれかつ後側に閉じられるように、片開き可能である。前扉４および皿構造体５は、個別に、左側に位置するヒンジ７を中心とし、可動枠３の前側で前側に開かれかつ後側に閉じられるように、片開き可能である。可動枠３の右側部には、施錠装置８とロック機構９；１０；１１が設けられる。前扉４は、パネル枠とも呼ばれ、前後方向に貫通する窓１２を備える。前扉４の裏面には、中高音用のスピーカ１３が固定的に設けられ、パネル構造体１４が開閉可能に設けられる。スピーカ１３は、窓１２の上部で窓１２を境として左右に分かれ、前扉４の裏側から前扉４の裏面に図外の止ねじで取り付けられる。パネル構造体１４は、左側に位置するヒンジ１５を中心とし、前扉４の裏側で裏側に開かれかつ前側に閉じられるように、片開き可能である。パネル構造体１４が閉じられて前扉４にロック機構１６で開閉不能に支持されると、パネル構造体１４が窓１２を裏側から塞ぐ。パネル構造体１４には、遊技音響装置が設けられる。遊技音響装置は、スピーカ１７、バスレフ開口部１８、バスレフダクト部１９などを備える。パネル構造体１４の構造および遊技音響装置の構造は、図２乃至図６で後述する。皿構造体５の前面には、受皿部２０、発射操作機構２１が設けられる。
【０００８】
そして、可動枠３が閉じられて固定枠２にロック機構９で開閉不能に支持され、前扉４および皿構造体５が閉じられて可動枠３にロック機構１０；１１で開閉不能に支持された状態において、遊技店の店員が図外のキープレート（鍵）を遊技機枠１の前側から施錠装置８の鍵穴に挿入し、当該キープレートを例えば右側に９０度回転操作すると、固定枠２と可動枠３とのロック機構９による支持形態が解除される。この支持形態の解除後に、店員が可動枠３を前側に引くことによって、可動枠３はヒンジ６を中心として前側に片開きされる。また、上記施錠装置８の鍵穴に挿入されたキープレートが例えば左側に９０度回転操作されると、可動枠３と前扉４とのロック機構１０による支持形態が解除される。この支持形態の解除後に、店員が前扉４を前側に引くことによって、前扉４はヒンジ７を中心として前側に片開きされる。このように、前扉４が前側に開かれた状態において、図外の遊技盤が可動枠３の前側から可動枠３の内部に装着される。そして、前扉４が閉じられて可動枠３にロック機構１０で開閉不能に支持されることによって、遊技盤の前面における遊技領域が遊技機枠１の窓１２およびパネル構造体１４を通して見える形態となる。その後、店員がキープレートを施錠装置８の鍵穴から前側に抜き取る。可動枠３の閉じられた皿構造体５で覆い隠される前面には、発射機構２２が設けられる。
【０００９】
図１のｂ図に示すように、前扉４の前面には、中高音用の放音部２５、照明表示部２６、低音用の放音部２７、バスレフ用の放音部２８が、窓１２の周囲に設けられる。放音部２５は、上部で窓１２よりも左右に分かれて設けられる。左右の放音部２５には、メタルメッシュのような多孔金属部材で構成された有孔覆体が、前扉４と図１のａ図のスピーカ１３とで挟まれて前扉４の裏面に取り付けられる。右側の放音部２５には、多数の横長な放音孔が上下方向に並列に配置されて設けられる。照明表示部２６の裏面には、ＬＥＤのような光源を実装した表示灯回路基板が、前扉４の裏側から図外の止ねじで取り付けられる。放音部２７は、下部で窓１２よりも右側に設けられる。放音部２８は、下部で窓１２よりも左側に設けられる。放音部２７および放音部２８には、メタルメッシュまたはパンチングメタルなどの多孔金属材で構成された有孔覆体が設けられる。そして、パネル構造体１４が閉じられて前扉４に図１のａ図のロック機構１６で開閉不能に支持された場合、放音部２７の裏側にはスピーカ１７が配置され、放音部２８の裏側にはバスレフ開口部１８が配置される。
【００１０】
図２を参照し、パネル構造体１４の前側からの内部構造およびスピーカ１７の構造について説明する。パネル構造体１４は、前面パネル３１、後面パネル３２、フレーム３３を備える。前面パネル３１は、図１の窓１２の側に配置されかつ窓１２を塞ぐ大きさの円板状で、無色の強化ガラスで構成される。後面パネル３２は、前面パネル３１の後側に配置されかつ前面パネル３１よりも大形な板状で、無色のソーダガラスで構成される。フレーム３３は、合成樹脂、アルミニウム合金またはマグネシウム合金などの軽金属により、バスレフ開口部１８、フレーム基盤３４、透視開口部３５、前面パネル収容部３６、乾燥剤収容部３７、スピーカ取付部３８などを一体に備えた形状に形成される。バスレフ開口部１８は、透視開口部３５よりも左側で下部に位置し、フレーム基盤３４に前後方向への貫通孔として設けられる。フレーム基盤３４は、後面パネル３２よりも大形な外形の板状である。透視開口部３５は、図１の前扉４の窓１２よりもひとまわり大きな相似形で、前後方向への貫通孔として、フレーム基盤３４に設けられる。
【００１１】
前面パネル収容部３６は、透視開口部３５を縁取るように囲み、フレーム基盤３４の前面と透視開口部３５とに開口し、フレーム基盤３４の前面から内部への窪みとして、フレーム基盤３４に設けられる。前面パネル収容部３６の外周は、前面パネル３１が前面パネル収容部３６に取り込まれるように前面パネル３１の外周と同じ大きさであるが、前面パネル収容部３６の外周と前面パネル３１の外周との間に接着剤６１（図５参照）が介在させられる場合は、前面パネル収容部３６の外周は、前面パネル３１の外周よりも接着剤６１の厚さだけ大きい。前面パネル収容部３６におけるフレーム基盤３４の前面から内部に窪む寸法は、前面パネル３１の前後方向の寸法である厚さと同じである。前面パネル３１がフレーム３３の前側から透視開口部３５の前側を塞ぐようにフレーム３３に装着されることによって、前面パネル３１の周縁部が前面パネル収容部３６に嵌め込まれて接着剤６１で固定される。
【００１２】
乾燥剤収容部３７は、フレーム基盤３４の上面に開口し、フレーム基盤３４の上部から内部への窪みとして、フレーム基盤３４の上部に設けられる。乾燥剤収容部３７には、乾燥剤３９がフレーム基盤３４の上部から収納された後、蓋４０が乾燥剤収容部３７の周りのフレーム基盤３４に図外の接着剤で固定されて乾燥剤収容部３７の上面の開口を閉鎖する。スピーカ取付部３８は、透視開口部３５よりも右側で下部に位置し、フレーム基盤３４に設けられる。スピーカ取付部３８は、放音孔４１、放音周壁４２、ねじ結合孔４３を備える。放音孔４１は、スピーカ１７のコーン４４や音響変換部４６よりも大きく、コーン４４の前端から径方向外側に突出したフランジ４５よりも小さい、口径を有する。放音周壁４２は、放音孔４１を囲むように、フレーム基盤３４の前面から前側に突出する。ねじ結合孔４３は、放音周壁４２の前面から内部への窪みとして、放音周壁４２に設けられる。ねじ結合孔４３は、スピーカ１７のねじ挿入孔４７と位置と個数とが対応する。
【００１３】
スピーカ１７は、円錐形なコーン４４の後部に音響変換部４６を備え、コーン４４の前縁部から外側にフランジ４５を突出し、フランジ４５に複数のねじ挿入孔４７を備え、音響変換部４６が音響変換部４６から外側に突出した被覆電線からなる引出線４８から入力された音電流を機械的な振動に変換してコーン４４に伝達し、コーン４４が伝達された振動を低音波として拡大して放出する。引出線４８にはコネクタ４９が設けられる。そして、コーン４４が前側に向けられるように、音響変換部４６およびコーン４４がフレーム基盤３４の前側から放音孔４１に挿入された場合、音響変換部４６およびコーン４４が放音孔４１に接触せず、フランジ４５の裏面が放音周壁４２の前面に接触する。そして、タッピングスクリューのような止ねじ５０がスピーカ１７の前側からねじ挿入孔４７を経由してねじ結合孔４３に締結されることによって、スピーカ１７がパネル構造体１４のスピーカ取付部３８に取り付けられる。
【００１４】
スピーカ１７の裏側には、背面支持体５１が設けられる。背面支持体５１は、ゴムまたは合成樹脂などの弾性体により板状に構成され、音響変換部４６の裏面または後面パネル３２の前面に図外の接着剤で取り付けられる。後面パネル３２の背面支持体５１と対応する部分は、パネル構造体１４における放音孔４１の裏側と対向する壁体を構成する。フレーム３３の左側部には、ヒンジブラケット５２が、フレーム３３の左側部から左側に突出しかつ上下に分かれて設けられる。ヒンジブラケット５２には、ヒンジピン５３が、ヒンジブラケット５２から下方に突出して個別に設けられる。フレーム３３の右側部には、ロック受止部５４が、フレーム３３の右側部から右側に突出しかつ上下に分かれて設けられる。
【００１５】
図３を参照し、パネル構造体１４の裏側からの内部構造について説明する。フレーム３３には、バスレフダクト部１９、フレーム周壁５５、後面パネル収容部５６、後面ガラス支持体５９、リブ６０が設けられる。フレーム周壁５５は、フレーム基盤３４を囲むように、フレーム基盤３４の周縁部から裏側に突出する。後面パネル収容部５６は、フレーム基盤３４を縁取るように囲み、フレーム周壁５５の後面と内面とに開口し、フレーム周壁５５の後面から内部への窪みとして、フレーム周壁５５に設けられる。後面パネル収容部５６の外周は、後面パネル３２が後面パネル収容部５６に取り込まれるように後面パネル３２の外周と同じ大きさであるが、後面パネル収容部５６の外周と後面パネル３２の外周との間に接着剤６２（図５参照）が介在させられる場合は、後面パネル収容部５６の外周は、後面パネル３２の外周よりも接着剤６２の厚さだけ大きい。後面パネル収容部５６のフレーム周壁５５の後面から内部に窪む寸法は、後面パネル３２の前後方向の寸法である厚さと同じである。後面パネル３２がフレーム３３の裏側から透視開口部３５の裏側およびフレーム基盤３４の裏側を塞ぐようにフレーム３３に装着されることによって、後面パネル３２の周縁部が後面パネル収容部５６に嵌め込まれて接着剤６２で固定される。
【００１６】
バスレフダクト部１９は、後面パネル３２とフレーム基盤３４とフレーム周壁５５および縦隔壁５７によって、バスレフ開口部１８に繋がる、空気の振動による音の伝達路を形成する。縦隔壁５７は、フレーム基盤３４の裏面から裏側に突出し、フレーム周壁５５の右側部と平行で、バスレフ開口部１８の右縁部から上方に直線的に延長された縦長な突条である。縦隔壁５７の下端は、フレーム周壁５５の下側部に繋がる。縦隔壁５７の上端は、透視開口部３５の周縁部５８に繋がる。縦隔壁５７の裏面とフレーム基盤３４の裏面との寸法は、後面パネル収容部５６の裏面とフレーム基盤３４の裏面との間の寸法と同じである。つまり、縦隔壁５７の裏面と後面パネル収容部５６の裏面とは、フレーム基盤３４の裏面と平行な同一の面内に位置する。バスレフダクト部１９における縦隔壁５７とフレーム基盤３４とフレーム周壁５５で囲まれた部分は、フレーム３３の裏側および透視開口部３５の側に開口する。そして、後面パネル３２が後面パネル収容部５６に収容されてフレーム３３に取り付けられることによって、バスレフダクト部１９は縦隔壁５７とフレーム基盤３４とフレーム周壁５５および後面パネル３２で囲まれて透視開口部３５とバスレフ開口部１８とを繋ぐ、空気の振動による音の伝達路を形成する。
【００１７】
後面ガラス支持体５９は、透視開口部３５の周縁部５８に、周縁部５８の周方向に離れて複数設けられ、透視開口部３５の周縁部５８から裏側に突出した棒状である。リブ６０は、フレーム基盤３４の裏面において、透視開口部３５の周縁部５８、スピーカ取付部３８、フレーム周壁５５の左側部、フレーム周壁５５の下側部、フレーム周壁５５の右側部、縦隔壁５７などで囲まれた部分から裏側に縦横の格子状に突出した突条である。リブ６０の裏面とフレーム基盤３４の裏面との間の寸法は、縦隔壁５７の裏面とフレーム基盤３４の裏面との寸法よりも小さく、透視開口部３５の周縁部５８の裏面とフレーム基盤３４の裏面との寸法と同じである。つまり、リブ６０の裏面と透視開口部３５の周縁部５８の裏面とは、フレーム基盤３４の裏面と平行な同一の面内に位置する。この最良の形態は、バスレフ開口部１８およびバスレフダクト部１９がフレーム３３に設けられているので、バスレフ開口部１８およびバスレフダクト部１９を図２の前面パネル３１に設ける場合に比べ、前面パネル３１の構造が簡単なものとなるという利点がある。
【００１８】
図４を参照し、パネル構造体１４の前側からの構造について説明する。スピーカ１７がスピーカ取付部３８に止ねじ５０で取り付けられた場合、スピーカ１７の引出線４８がスピーカ取付部３８の放音周壁４２とスピーカ１７のフランジ４５との間からパネル構造体１４の外側に引き出されている。
【００１９】
図５を参照し、パネル構造体１４における乾燥剤収容部３７およびスピーカ取付部３８の内部構造について説明する。スピーカ１７がスピーカ取付部３８に止ねじ５０で取り付けられた場合、背面支持体５１がスピーカ１７と後面パネル３２とに接触しているので、スピーカ１７がフレーム３３に対しスピーカ取付部３８による前側と背面支持体５１による後側とで支持され、スピーカ１７が音を放出する場合、音の歪や割れのような異音の発生がないという利点がある。スピーカ１７が後面パネル３２に衝突することがないので、後面パネル３２の破損も防止することができるという利点がある。乾燥剤収容部３７には、透視開口部３５と乾燥剤収容部３７とを繋ぐ貫通孔６３が設けられる。前面パネル３１が前面パネル収容部３６に収容されて接着剤６１でフレーム３３に取り付けられ、後面パネル３２が後面パネル収容部５６に収容されて接着剤６２でフレーム３３に取り付けられた場合、前面パネル３１の前面と後面パネル３２の前面とが互いに向き合って離れる。後面パネル３２の前面は、スピーカ取付部３８の放音孔４１、透視開口部３５の周縁部５８、フレーム基盤３４のそれぞれから後側に離れる。前面パネル３１と後面パネル３２との間における空間、後面パネル３２と透視開口部３５の周縁部５８との間における空間、後面パネル３２とフレーム基盤３４との間における空間、スピーカ１７と放音孔４１との間における空間、スピーカ１７と放音周壁４２との間における空間は、前面パネル３１と後面パネル３２とフレーム３３とからなる閉鎖空間を構成し、この閉鎖空間が乾燥剤３９で乾燥される。
【００２０】
図６を参照し、バスレフダクト部１９の内部構造について説明する。縦隔壁５７の裏面と後面パネル収容部５６の裏面とがフレーム基盤３４の裏面と平行な同一の面内に位置している。よって、後面パネル３２が後面パネル収容部５６に収容されてフレーム３３に取り付けられた場合、後面パネル３２の前面は、リブ６０、透視開口部３５の周縁部５８、前面パネル３１、フレーム基盤３４のそれぞれから後側に離れ、バスレフダクト部１９が縦隔壁５７とフレーム基盤３４とフレーム周壁５５および後面パネル３２で囲まれて前面パネル３１と後面パネル３２およびフレーム３３で囲まれた閉鎖空間にバスレフ開口部１８を繋ぐ、空気の振動による音の伝達路を形成する。よって、バスレフ開口部１８と図５に示す放音孔４１とは、バスレフダクト部１９、前面パネル３１と後面パネル３２およびフレーム３３で囲まれた閉鎖空間によって、互いに繋がる。
【００２１】
よって、図４乃至図６において、スピーカ取付部３８に取り付けられたスピーカ１７のコーン４４から後側に放出された音は、スピーカ取付部３８の放音孔４１から、後面パネル３２とリブ６０との間における空間、後面パネル３２と透視開口部３５の周縁部５８との間における空間、後面パネル３２と前面パネル３１との間における空間、後面パネル３２とフレーム基盤３４との間における空間およびバスレフダクト部１９を経由してバスレフ開口部１８に到達し、バスレフ開口部１８からフレーム３３の左前側に放出される。スピーカ１７のコーン４４から前側に放出された音は、フレーム３３の右前側に放出される。
【００２２】
このように構成された遊技音響装置を備えたパネル構造体１４が、図１に示す前扉４の裏面に取り付けられ、ヒンジ１５を中心として前側である前扉４の側に閉じられ、ロック機構１６が人によって操作されてパネル構造体１４のロック受止部の裏面に係合し、パネル構造体１４が前扉４の裏面に開閉不能に支持されると、パネル構造体１４が窓１２を裏側から塞ぎ、遊技音響装置におけるスピーカ１７の前側が前扉４の放音部２７で覆い隠され、遊技音響装置におけるバスレフ開口部１８の前側が前扉４の放音部２８で覆い隠される。よって、スピーカ１７のコーン４４から前側に放出された音は、放音部２７から前扉４の右前側に放出され、スピーカ１７のコーン４４から後側に放出された音は、バスレフダクト部１９およびバスレフ開口部１８を経由して放音部２８から前扉４の左前側に放出される。つまり、スピーカ１７から放音部２７を経由して前扉４の右前側に放出される低音と、スピーカ１７の裏側から前面パネル３１と後面パネル３２との間における閉鎖空間をエンクロージャとして利用してバスレフ開口部１８および放音部２８を経由して前扉４の左前側に放出される低音とによって、音による遊技の演出が遊技機枠１の前側で遊技を行う遊技者に提供されるという利点がある。ヒンジ１５は、パネル構造体１４の図４に示すヒンジピン５３が図１の前扉４の裏面に設けられた図外のヒンジ孔に上方から嵌め込まれることで、構成される。
【産業上の利用可能性】
【００２３】
ピアノ線のような不正操作部材が遊技機枠１の前側から放音部２８に挿入されても、不正操作部材がスピーカ１７のコーン４４やパネル構造体１４の裏側に侵入することがないので、放音部２８に有孔覆体を設けなくてもよい。遊技機枠１は、遊技盤に代わるドラムタイプまたはリールタイプの回胴式図柄表示器を可動枠３に取り付けた、球式のスロットマシンの遊技機枠１としても使用できる。遊技機枠１としては、前側にだけ開口した箱形の筐体の前側に前扉を開閉可能に設けた、メダルを遊技媒体として使用する回胴式図柄表示器の遊技機枠であっても同様に適用できる。回胴式図柄表示器の遊技機枠の場合、前側にだけ開口した箱形の筐体が図１の固定枠２に相当し、前扉が図１の前扉４に相当し、図１の可動枠３がない構造である。前面パネル３１を無色のソーダガラスで構成し、後面パネル３２を強化ガラスで構成してもよい。前面パネル３１または後面パネル３２を、強化ガラスに代えて、２枚のガラスを接着剤で結合した２重ガラスで構成してもよい。
【図面の簡単な説明】
【００２４】
【図１】遊技音響装置を備えた遊技機枠の斜視図（最良の形態）。
【図２】パネル構造体の前側からの分解斜視図（最良の形態）。
【図３】後面パネルを分解したパネル構造体の裏側からの斜視図（最良の形態）。
【図４】パネル構造体の前側からの斜視図（最良の形態）。
【図５】図４のＡ−Ａ線断面図（最良の形態）。
【図６】ａ図は図４のＢ−Ｂ線断面図、ｂ図は図４のＣ−Ｃ線断面図（最良の形態）。
【符号の説明】
【００２５】
１    遊技機枠
４    前扉
１２  窓
１４  パネル構造体
１７  スピーカ
１８  バスレフ開口部
１９  バスレフダクト部
３１  前面パネル
３２  後面パネル
３３  フレーム
３８  スピーカ取付部
４１  放音孔
４２  放音周壁
４３  ねじ結合孔
４４  コーン
４５  フランジ
４６  音響変換部
４７  ねじ挿入孔
【図１】
0004817744.tif 000002
【図２】
0004817744.tif 000003
【図３】
0004817744.tif 000004
【図４】
0004817744.tif 000005
【図５】
0004817744.tif 000006
【図６】
0004817744.tif 000007